【手続補正書】
【提出日】平成29年9月14日(2017.9.14)
【手続補正１】
【補正対象書類名】明細書
【補正対象項目名】発明の名称
【補正方法】変更
【補正の内容】
【発明の名称】画像形成装置、管理システム、制御方法、及びプログラム
【手続補正２】
【補正対象書類名】明細書
【補正対象項目名】００１０
【補正方法】変更
【補正の内容】
【００１０】
そこで、本発明では、置き忘れた原稿の持ち主から当該原稿が第三者に渡ることを抑止することが可能な画像形成装置、管理システム、制御方法、及びプログラムを提供することを目的とする。
【手続補正３】
【補正対象書類名】明細書
【補正対象項目名】００１１
【補正方法】変更
【補正の内容】
【００１１】
上記課題を解決するための第一の発明は、ネットワークカメラと通信可能な管理システムであって、操作者により原稿台へ置かれた原稿を用いて原稿データを生成する画像形成装置から前記操作者が離れたことを検知する離隔検知手段と、前記原稿が原稿台に置かれていることを検知する原稿検知手段と、前記離隔検知手段によって、前記操作者が前記画像形成装置から離れたことを検知し、前記原稿検知手段によって原稿が原稿台へ置かれた状態を検知すると、前記原稿の置き忘れにかかる通知を行う通知手段と、を備えたことを特徴とする。
【手続補正４】
【補正対象書類名】明細書
【補正対象項目名】００１２
【補正方法】変更
【補正の内容】
【００１２】
上記課題を解決するための第二の発明は、画像形成装置から操作者が離れたことを検知するネットワークカメラと、ネットワークを介して接続された、操作者により原稿台へ置かれた原稿を用いて原稿データを生成する画像形成装置であって、前記原稿が原稿台に置かれていることを検知する原稿検知手段と、前記ネットワークカメラによって、前記操作者が前記画像形成装置から離れたことを検知すると、前記原稿検知手段によって原稿が原稿台へ置かれた状態を検知すると、前記原稿の置き忘れにかかる通知を行うことを通知する通知手段と、を備えたことを特徴とする。
【手続補正５】
【補正対象書類名】明細書
【補正対象項目名】００１３
【補正方法】変更
【補正の内容】
【００１３】
上記課題を解決するための第三の発明は、ネットワークカメラと通信可能な管理システムの制御方法であって、操作者により原稿台へ置かれた原稿を用いて原稿データを生成する画像形成装置から前記操作者が離れたことを検知する離隔検知ステップと、前記原稿が原稿台に置かれていることを検知する原稿検知ステップと、前記離隔検知ステップによって、前記操作者が前記画像形成装置から離れたことを検知し、前記原稿検知ステップによって原稿が原稿台へ置かれた状態を検知すると、前記原稿の置き忘れにかかる通知を行う通知ステップと、を実行することを特徴とする。
【手続補正６】
【補正対象書類名】明細書
【補正対象項目名】００１４
【補正方法】変更
【補正の内容】
【００１４】
上記課題を解決するための第四の発明は、ネットワークカメラと通信可能な管理システムにおいて、操作者により原稿台へ置かれた原稿を用いて原稿データを生成する画像形成装置から前記操作者が離れたことを検知する離隔検知手段と、前記原稿が原稿台に置かれていることを検知する原稿検知手段と、前記離隔検知手段によって、前記操作者が前記画像形成装置から離れたことを検知し、前記原稿検知手段によって原稿が原稿台へ置かれた状態を検知すると、前記原稿の置き忘れにかかる通知を行う通知手段と、して機能するためのプログラム。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
本発明により、置き忘れた原稿の持ち主から当該原稿が第三者に渡ることを抑止することができる、という効果を奏する。
【手続補正１０】
【補正対象書類名】特許請求の範囲
【補正対象項目名】全文
【補正方法】変更
【補正の内容】
【特許請求の範囲】
【請求項１】
ネットワークカメラと通信可能な管理システムであって、
操作者により原稿台へ置かれた原稿を用いて原稿データを生成する画像形成装置から前記操作者が離れたことを検知する離隔検知手段と、
前記原稿が原稿台に置かれていることを検知する原稿検知手段と、
前記離隔検知手段によって、前記操作者が前記画像形成装置から離れたことを検知し、前記原稿検知手段によって原稿が原稿台へ置かれた状態を検知すると、前記原稿の置き忘れにかかる通知を行う通知手段と、
を備えたことを特徴とする管理システム。
【請求項２】
前記画像形成装置へ操作者が近づいたことを検知する接近検知手段と、
前記画像形成装置の周辺を撮影する撮影手段と、
前記離隔検知手段によって、操作者が前記画像形成装置から離れたことを検知した後、操作者が前記画像形成装置に近づいたことを検知した場合、前記離れた操作者と前記近づいた操作者とを比較する比較手段と、
を備え、
前記通知手段は、前記比較手段による比較結果に応じた通知を行うことを特徴とする請求項１に記載の管理システム。
【請求項３】
前記離隔検知手段によって、操作者が前記画像形成装置から離れたことを検知した場合、前記撮影手段によって撮影して得られた操作者の画像データを取得する第一操作者画像取得手段と、
前記接近検知手段によって、操作者が前記画像形成装置に近づいたことを検知した場合、前記撮影手段によって撮影して得られた操作者の画像データを取得する第二操作者画像取得手段と、
を備え、
前記比較手段は、第一操作者画像取得手段によって取得した画像データと前記第二操作者画像取得手段によって取得した画像データとを比較することを特徴とする請求項２に記載の管理システム。
【請求項４】
前記比較手段は、前記原稿検知手段によって原稿が原稿台へ置かれた状態を検知した場合、前記第一操作者画像取得手段によって取得した画像データと前記第二操作者画像取得手段によって取得した画像データとを比較することを特徴とする請求項３に記載の管理システム。
【請求項５】
前記通知手段は、前記比較手段によって、前記第一操作者画像取得手段によって取得した画像データと前記第二操作者画像取得手段によって取得した画像データとが一致しない場合、原稿の置き忘れがある旨の通知を行うことを特徴とする請求項３または４に記載の管理システム。
【請求項６】
前記通知手段は、前記第一操作者画像取得手段によって取得した画像データを用いて、前記原稿の置き忘れがある旨の通知を行うことを特徴とする請求項５に記載の管理システム。
【請求項７】
前記通知手段は、前記比較手段によって、前記第一操作者画像取得手段によって取得した画像データと前記第二操作者画像取得手段によって取得した画像データとが一致する場合、前記第一操作者画像取得手段によって取得した画像データを用いることなく、前記原稿の置き忘れがある旨の通知を行うことを特徴とする請求項６に記載の管理システム。
【請求項８】
前記通知手段は、前記比較手段によって、前記離れた操作者と前記近づいた操作者とが一致しないとする比較結果を得た後、前記原稿検知手段によって原稿が原稿台から持ち去られたことを検知した場合、原稿の持ち去りにかかる通知を行うことを特徴とする請求項２乃至７の何れか１項に記載の管理システム。
【請求項９】
前記通知手段は、前記第一操作者画像取得手段によって取得した画像データと前記第二操作者画像取得手段によって取得した画像データとが一致しないとする比較結果を得た後、前記原稿検知手段によって原稿が原稿台から持ち去られたことを検知した場合、原稿の持ち去りにかかる通知を行うことを特徴とする請求項３乃至７の何れか１項に記載の管理システム。
【請求項１０】
前記通知手段は、前記原稿の持ち去りにかかる通知を前記第二操作者画像取得手段によって取得した画像データを用いて通知を行うことを特徴とする請求項９に記載の管理システム。
【請求項１１】
前記原稿検知手段によって原稿が原稿台から持ち去られたことを検知した後、操作者が画像形成装置に近づいたとき、当該操作者の原稿が持ち去されたことを通知することを特徴とする請求項８乃至１０の何れか１項に記載の管理システム。
【請求項１２】
前記第一操作者画像取得手段によって取得した画像データと前記第二操作者画像取得手段によって取得した画像データとを対応して記憶する記憶手段を備え、
前記原稿検知手段によって原稿が原稿台から持ち去られたことを検知した後、操作者が画像形成装置に近づいたとき、当該操作者の原稿を持ち去った他の操作者の画像を記憶手段から取得して通知することを特徴とする請求項９乃至１１の何れか１項に記載の管理システム。
【請求項１３】
画像形成装置から操作者が離れたことを検知するネットワークカメラと、ネットワークを介して接続された、操作者により原稿台へ置かれた原稿を用いて原稿データを生成する画像形成装置であって、
前記原稿が原稿台に置かれていることを検知する原稿検知手段と、
前記ネットワークカメラによって、前記操作者が前記画像形成装置から離れたことを検知すると、前記原稿検知手段によって原稿が原稿台へ置かれた状態を検知すると、前記原稿の置き忘れにかかる通知を行うことを通知する通知手段と、
を備えたことを特徴とする画像形成装置。
【請求項１４】
ネットワークカメラと通信可能な管理システムの制御方法であって、
操作者により原稿台へ置かれた原稿を用いて原稿データを生成する画像形成装置から前記操作者が離れたことを検知する離隔検知ステップと、
前記原稿が原稿台に置かれていることを検知する原稿検知ステップと、
前記離隔検知ステップによって、前記操作者が前記画像形成装置から離れたことを検知し、前記原稿検知ステップによって原稿が原稿台へ置かれた状態を検知すると、前記原稿の置き忘れにかかる通知を行う通知ステップと、
を実行することを特徴とする管理システムの制御方法。
【請求項１５】
ネットワークカメラと通信可能な管理システムにおいて、
操作者により原稿台へ置かれた原稿を用いて原稿データを生成する画像形成装置から前記操作者が離れたことを検知する離隔検知手段と、
前記原稿が原稿台に置かれていることを検知する原稿検知手段と、
前記離隔検知手段によって、前記操作者が前記画像形成装置から離れたことを検知し、前記原稿検知手段によって原稿が原稿台へ置かれた状態を検知すると、前記原稿の置き忘れにかかる通知を行う通知手段と、
して機能するためのプログラム。